(57)【要約】      （修正有）【課題】有害小動物に警戒心を与えにくくすることができ、当該有害小動物に対して高い捕獲効果が期待できる有害小動物捕獲装置を提供する。【解決手段】表面が餌置き場となる床板部１１０と、有害小動物を床板部１１０上で検知すると検知信号を出力するセンサー部２００と、枠部３１０の一辺が回転軸となるように軸受け部３３１に軸支され、バネ４００の付勢力によって回転動作して有害小動物を床板部１１０との間で押さえ付ける押さえ付け部材３００と、押さえ付け部材３００の係止部分Ｐ１をバネ４００の付勢力に抗して係止することにより、押さえ付け部材３００を捕獲待機状態に保持可能な係止アーム５００と、検知信号に基づいて係止アーム５００の押さえ付け部材３００に対する係止を解除させるように動作する係止解除動作部とを備える。【選択図】図１
0003211503.tif 000002
【実用新案登録請求の範囲】
【請求項１】
捕獲対象となる有害小動物を捕獲する有害小動物捕獲装置であって、
表面が餌置き場となる床板部と、
電源からの電力供給を受けて動作し、捕獲対象となる有害小動物を前記床板部の表面上で検知すると検知信号を出力するセンサー部と、
外周縁部を形成する枠部のうち当該枠部の一辺が回転軸となるように軸受け部に軸支され、捕獲待機状態からバネの付勢力によって回転動作して前記有害小動物を前記床板部との間で押さえ付ける押さえ付け部材と、
前記立設板部に設けられ、前記枠部のうち前記回転軸となる枠部の一辺とは反対側に位置する所定部分を前記バネの付勢力に抗して係止することにより、前記押さえ付け部材を前記捕獲待機状態に保持可能な保持可能な係止アームと、
前記検知信号に基づいて前記係止アームの前記押さえ付け部材に対する係止を解除させるように動作する係止解除動作部と、
を備えることを特徴とする有害小動物捕獲装置。
【請求項２】
請求項１に記載の有害小動物捕獲装置において、
前記床板部から立設されている立設板部をさらに有し、前記係止アームは、当該立設板部の側に設けられているとともに、前記押さえ付け部材は、前記回転軸となる枠部の一辺が、当該床板部と当該立設板部との接合部に沿って配置されていることを特徴とする有害小動物捕獲装置。
【請求項３】
請求項１又は２に記載の有害小動物捕獲装置において、
前記センサー部は、発光素子と当該発光素子が発した光を受光する受光素子とを有し、前記発光素子が発する光が遮られると前記検知信号を出力する光遮断検知型のセンサーであることを特徴とする有害小動物捕獲装置。
【請求項４】
請求項３に記載の有害小動物捕獲装置において、
前記発光素子には、当該発光素子が発する光を絞り込んで出力するための小孔を有する発光部側の光絞り部が設けられており、
前記受光素子には、当該受光素子に入力する光を絞り込んで当該受光素子に入力させるための小孔を有する受光部側の光絞り部が設けられていることを特徴とする有害小動物捕獲装置。
【請求項５】
請求項３又は４に記載の有害小動物捕獲装置において、
前記発光素子は、赤外線発光素子であることを特徴とする有害小動物捕獲装置。
【請求項６】
請求項１又は２に記載の有害小動物捕獲装置において、
前記センサー部は、前記有害小動物が発する赤外線を感知すると、前記検知信号を出力する赤外線感知センサーであることを特徴とする有害小動物捕獲装置。
【請求項７】
請求項６に記載の有害小動物捕獲装置において、
前記赤外線感知センサーにおける赤外線入射側には、局所的な特定方向からの赤外線を感知可能とするための赤外線導入パイプが設けられていることを特徴とする有害小動物捕獲装置。
【請求項８】
請求項６又は７に記載の有害小動物捕獲装置において、
前記床板部の端部側には、当該床板部の端部よりも外側から発せられる赤外線を遮断するための赤外線遮断用の壁板部が立設されていることを特徴とする有害小動物捕獲装置。
【請求項９】
請求項１又は２に記載の有害小動物捕獲装置において、
前記センサー部は、超音波発信部と当該超音波発信部が発信した超音波を受信する超音波受信部とを有し、前記超音波発信部が発する超音波が遮られると前記検知信号を出力する超音波遮断検知型のセンサーであることを特徴とする有害小動物捕獲装置。
【請求項１０】
請求項１又は２に記載の有害小動物捕獲装置において、
前記センサー部は、重量の変化を検知すると前記検知信号を出力する重量検知センサーであることを特徴とする有害小動物捕獲装置。
【請求項１１】
請求項１又は２に記載の有害小動物捕獲装置において、
前記センサー部は、触れると前記検知信号を出力するタッチセンサーであることを特徴とする有害小動物捕獲装置。
【請求項１２】
請求項１〜１１のいずれかに記載の有害小動物捕獲装置において、
前記押さえ付け部材が前記捕獲待機状態となっているときにオン状態となり、前記センサー部に前記電源からの電力供給を可能とする捕獲待機スイッチをさらに有することを特徴とする有害小動物捕獲装置。
【請求項１３】
請求項１〜１２のいずれかに記載の有害小動物捕獲装置において、
前記押さえ付け部材は、線状の金属部材によって形成され、
前記外周縁部となる枠部と、
当該枠部の内側に存在し、網目状に形成された格子部と、
を有し、前記格子部を形成する前記線状の金属部材の縦方向及び横方向のそれぞれの間隔は前記有害小動物の体長よりも短く設定されていることを特徴とする有害小動物捕獲装置。
【請求項１４】
請求項１〜１３のいずれかに記載の有害小動物捕獲装置において、
前記捕獲動作待機状態となっている前記押さえ付け部材の係止が解除されると、当該押さえ付け部材の係止が解除されたことを当該有害小動物捕獲装置の設置個所から離隔した位置に報知可能な報知部をさらに備えることを特徴とする有害小動物捕獲装置。
【請求項１５】
請求項１４に記載の有害小動物捕獲装置において、
前記報知部は、報知光を発する報知光発光部又は報知音を発する報知音発生部の少なくとも一方であることを特徴とする有害小動物捕獲装置。
【請求項１６】
請求項１〜１５のいずれかに記載の有害小動物捕獲装置において、
前記捕獲対象となる有害小動物は、ネズミであることを特徴とする有害小動物捕獲装置。
【請求項１７】
請求項１６に記載の有害小動物捕獲装置において、
前記ネズミは、クマネズミであることを特徴とする有害小動物捕獲装置。
【考案の詳細な説明】
【技術分野】
【０００１】
本考案は、ネズミなどの有害小動物を捕獲するための有害小動物捕獲装置に関する。
【背景技術】
【０００２】
有害小動物の例としては、ネズミを例示することができる。従来、ネズミを捕獲する装置は種々提案されている（例えば、特許文献１、特許文献２及び特許文献３参照。）。
【０００３】
図１０は、特許文献１に記載されているネズミ捕獲装置９１０を説明するために示す図である。特許文献１に記載されているネズミ捕獲装置９１０は、図１０に示すように、台板９１１上に設けられている枠状の押さえ付け部材９１２と、押さえ付け部材９１２の後縁部９１２ａを回転軸として当該押さえ付け部材９１２を回転させるバネ部材９１３と、台板９１１上に立設されている起立体９１４と、押さえ付け部材９１２をバネ部材９１３の付勢力に抗した状態で係止する餌保持部材９１５と、備える構成となっている。なお、餌保持部材９１５は、餌取り付け部９１５ａが先端部に設けられているとともに押さえ付け部材９１２を係止するための係止ピン９１５ｃが中途部に設けられており、また、後端部９１５ｂが起立体９１４に緩挿されている。
【０００４】
特許文献１に記載されているネズミ捕獲装置９１０は、ねずみを捕獲するための準備として、餌保持部材９１５の餌取り付け部９１５ａに餌（固形の餌）を取り付けた状態として、押さえ付け部材９１２の前縁部９１２ｂをバネ部材９１３の付勢力に抗して矢印ａ方向に回転させて、係止ピン９１５ｃで係止させておく。このようにしておくことで、ネズミが餌取り付け部９１５ａに取り付けられている餌を食べようとして、餌を前後方向や左右方向に引っ張ったりすると、餌保持部材９１５に軸周りの回転力が生じるため、係止ピン９１５ｃの押さえ付け部材９１２に対する係止が外れ、押さえ付け部材９１２がバネ部材９１３の付勢力によって後縁部９１２ａを回転軸として回転してネズミを押さえつけることとなる。なお、この明細書では、「固形の餌」というのは、ひと塊りとなっている餌を指すものとする。
【０００５】
図１１は、特許文献２に記載されているネズミ捕獲装置を説明するために示す図である。特許文献１に記載されているネズミ捕獲装置９２０は、図１１に示すように、家型をなす筐体９２１の底板部９２２に粘着層９２３を配設した構成となっており、ネズミが当該筐体９２１の内部に侵入すると、粘着層９２３にくっついて身動きできなくなるというものである。
【０００６】
図１２は、特許文献３に記載されているネズミ捕獲装置９３０を説明するために示す図である。なお、特許文献３においては、動物捕獲装置としているが、ネズミも捕獲対象としているため、ここでは、「ネズミ捕獲装置９３０」として説明する。
【０００７】
特許文献３に記載されているネズミ捕獲装置９３０は、図１２に示すように、両端にそれぞれ出入り口９３１を設けた筐体９３２と、両端の出入り口９３１を開閉するそれぞれの扉９３３と、当該扉９３３を開位置にロックする電磁ロック部９３４と、筐体９３２内に侵入した動物（ネズミとする。）などの動物を検知するセンサー９３５と、餌入れ皿９３６とを有する構成となっている。
【０００８】
特許文献３に記載されているネズミ捕獲装置９３０は、ネズミが餌入れ皿９３６に入っている餌を食べようとして、筐体９３０に侵入すると、センサー９３５が当該ネズミを検知して、検知信号を出力し、当該検知信号によって、電磁ロック部９３４のロックが外れて、扉９３３が重力によって落下する。これにより、ネズミは筐体９３２内に閉じ込められる。
【先行技術文献】
【特許文献】
【０００９】
【特許文献１】実用新案登録第３０８１４２２号公報
【特許文献２】特開２０００−３２５００９号公報
【特許文献３】特開２００３−１６９５８７号公報
【考案の概要】
【考案が解決しようとする課題】
【００１０】
上記した各特許文献に記載されているネズミ捕獲装置においては、ある程度の捕獲効果は期待できると考えられるが、改善の余地もある。すなわち、一般に、家ネズミと呼ばれるネズミには、ハツカネズミ、ドブネズミ及びクマネズミの３種を挙げられることができるが、これらのなかで、クマネズミは、他のネズミに比べて大型であることに加えて、警戒心が強く、学習能力も高いことが知られている。
【００１１】
このため、例えば、固形の餌を餌取り付け部に取り付けた状態でネズミをおびき寄せようとするネズミ捕獲装置では、暗視カメラによる観察によれば、クマネズミが当該固形の餌近くまで来たとしても、警戒してその餌には食いつこうとしないことがわかった。また、クマネズミの通り道となりそうな箇所に、ネズミの生活環境の中に普段は存在しないようなネズミ捕獲装置を置いた場合、クマネズミは、当該ネズミ捕獲装置を異物として認識し、警戒心を抱いて近寄らず、迂回してしまう場合が多いことがわかった。
【００１２】
このような観点から上記した各特許文献に記載されたネズミ捕獲装置を見ると、特許文献１に記載のネズミ捕獲装置９１０においては、餌（固形の餌）を餌取り付け部９１５ａに引っ掛けるようにして取り付けるものであるため、クマネズミは当該固形の餌近くまで来ても、警戒してその餌には食いつこうとしない。また、当該特許文献１に記載のネズミ捕獲装置９１０においては、ネズミの通り道となる台板９１１上に、餌が取り付けられている餌保持部材９１５が、むき出しのまま存在しているため、これも、自分の生活環境の中に普段は存在しない異物として認識し、警戒して近づこうとしない。このため、特許文献１に記載されたネズミ捕獲装置９１０は、より警戒心の強いクマネズミに対しては、高い捕獲効果を期待することは難しい。
【００１３】
特許文献２及び特許文献３に記載のネズミ捕獲装置においては、人工的な家型や箱型の筐体内にネズミを呼び込もうとするものであり、このような人工的な家型や箱型の筐体も、自分の生活環境の中に普段は存在しない異物として認識するため、警戒して、このような家型や箱型の筐体を有するネズミ捕獲装置には近づこうとしない場合が多く、この場合も、より警戒心の強いクマネズミに対しては、高い捕獲効果は期待できない。
一方、ハツカネズミやドブネズミは、クマネズミほど警戒心が強くないとされるが、これらハツカネズミやドブネズミに対しても、高い捕獲効果を得るには、できる限り警戒心を与えないような捕獲装置とすることが求められる。このことは、ネズミ以外の有害小動物においても同様のことが言える。
【００１４】
本考案は上記事情に鑑みてなされたものであり、捕獲対象となる有害小動物に警戒心を与えにくくすることができ、それによって、当該有害小動物に対して高い捕獲効果が期待できる有害小動物捕獲装置を提供することを目的とする。
【課題を解決するための手段】
【００１５】
［１］本考案の有害小動物捕獲装置は、捕獲対象となる有害小動物を捕獲する有害小動物捕獲装置であって、表面が餌置き場となる床板部と、電源からの電力供給を受けて動作し、捕獲対象となる有害小動物を前記床板部の表面上で検知すると検知信号を出力するセンサー部と、外周縁部を形成する枠部のうち当該枠部の一辺が回転軸となるように軸受け部に軸支され、捕獲待機状態からバネの付勢力によって回転動作して前記有害小動物を前記床板部との間で押さえ付ける押さえ付け部材と、前記立設板部に設けられ、前記枠部のうち前記回転軸となる枠部の一辺とは反対側に位置する所定部分を前記バネの付勢力に抗して係止することにより、前記押さえ付け部材を前記捕獲待機状態に保持可能な保持可能な係止アームと、前記検知信号に基づいて前記係止アームの前記押さえ付け部材に対する係止を解除させるように動作する係止解除動作部と、を備えることを特徴とする。
【００１６】
[２]本考案の有害小動物装置においては、前記床板部から立設されている立設板部をさらに有し、前記係止アームは、当該立設板部の側に設けられているとともに、前記押さえ付け部材は、前記回転軸となる枠部の一辺が、当該床板部と当該立設板部との接合部に沿って配置されていることが好ましい。
【００１７】
［３］本考案の有害小動物捕獲装置においては、前記センサー部は、発光素子と当該発光素子が発した光を受光する受光素子とを有し、前記発光素子が発する光が遮られると前記検知信号を出力する光遮断検知型のセンサーであることが好ましい。
【００１８】
［４］本考案の有害小動物捕獲装置においては、前記発光素子には、当該発光素子が発する光を絞り込んで出力するための小孔を有する発光部側の光絞り部が設けられており、前記受光素子には、当該受光素子に入力する光を絞り込んで当該受光素子に入力させるための小孔を有する受光部側の光絞り部が設けられていることが好ましい。
【００１９】
［５］本考案の有害小動物捕獲装置においては、前記発光素子は、赤外線発光素子であることが好ましい。
【００２０】
［６］本考案の有害小動物捕獲装置においては、前記センサー部は、前記有害小動物が発する赤外線を感知すると、前記検知信号を出力する赤外線感知センサーであることが好ましい。
【００２１】
［７］本考案の有害小動物捕獲装置においては、前記赤外線感知センサーにおける赤外線入射側には、局所的な特定方向からの赤外線を感知可能とするための赤外線導入パイプが設けられていることが好ましい。
【００２２】
［８］本考案の有害小動物捕獲装置においては、前記床板部の端部側には、当該床板部の端部よりも外側から発せられる赤外線を遮断するための赤外線遮断用の壁板部が立設されていることが好ましい。
【００２３】
［９］本考案の有害小動物捕獲装置においては、前記センサー部は、超音波発信部と当該超音波発信部が発信した超音波を受信する超音波受信部とを有し、前記超音波発信部が発する超音波が遮られると前記検知信号を出力する超音波遮断検知型のセンサーであることが好ましい。
【００２４】
［１０］本考案の有害小動物捕獲装置においては、前記センサー部は、重量の変化を検知すると前記検知信号を出力する重量検知センサーであることが好ましい。
【００２５】
［１１］本考案の有害小動物捕獲装置においては、前記センサー部は、触れると前記検知信号を出力するタッチセンサーであることが好ましい。
【００２６】
［１２］本考案の有害小動物捕獲装置においては、前記押さえ付け部材が前記捕獲待機状態となっているときにオン状態となり、前記センサー部に前記電源からの電力供給を可能とする捕獲待機スイッチをさらに有することが好ましい。
【００２７】
［１３］本考案の有害小動物捕獲装置においては、前記押さえ付け部材は、線状の金属部材によって形成され、前記外周縁部となる枠部と、当該枠部の内側に存在し、網目状に形成された格子部と、を有し、前記格子部を形成する前記線状の金属部材の縦方向及び横方向のそれぞれの間隔は前記有害小動物の体長よりも短く設定されていることが好ましい。
【００２８】
［１４］本考案の有害小動物捕獲装置においては、前記捕獲動作待機状態となっている前記押さえ付け部材の係止が解除されると、当該押さえ付け部材の係止が解除されたことを当該有害小動物捕獲装置の設置個所から離隔した位置に報知可能な報知部をさらに備えることが好ましい。
【００２９】
［１５］本考案の有害小動物捕獲装置においては、前記報知部は、報知光を発する報知光発光部又は報知音を発する報知音発生部の少なくとも一方であることが好ましい。
【００３０】
［１６］本考案の有害小動物捕獲装置においては、前記捕獲対象となる有害小動物は、ネズミであることが好ましい。
【００３１】
［１７］本考案の有害小動物捕獲装置においては、前記ネズミは、クマネズミであることが好ましい。
【考案の効果】
【００３２】
本考案の有害小動物捕獲装置は、固形の餌を餌取り付け部に取り付けるものではなく、また、ネズミの通り道となる箇所には、餌を取り付けるための部材（餌保持部材など）が、むき出しのまま存在しているものではないため、捕獲対象となる有害小動物に警戒心を与えにくくすることができ、それによって、当該有害小動物に対して高い捕獲効果が期待できる。また、本考案の有害小動物捕獲装置は、人工的な家型や箱型の筐体内に有害小動物を呼び込もうとするものでないため、これによっても、捕獲対象となる有害小動物に警戒心を与えにくくすることができ、それによって当該有害小動物に対して高い捕獲効果が期待できる。
【図面の簡単な説明】
【００３３】
【図１】実施形態１に係る有害小動物捕獲装置１の斜視図である。
【図２】図１に示した実施形態１に係る有害小動物捕獲装置１を図１の手前側からｙ軸に沿って見た側面図である。
【図３】実施形態１に係る有害小動物捕獲装置１を図１の上方からｚ軸に沿って見た平面図である。
【図４】実施形態１に係る有害小動物捕獲装置１を動作させるための電気回路図である。
【図５】実施形態１に係る有害小動物捕獲装置１によりネズミが捕獲された状態を示す図である。
【図６】実施形態２に係る有害小動物捕獲装置２の斜視図である。
【図７】図６に示した実施形態２に係る有害小動物捕獲装置２を図６の手前側からｙ軸に沿って見た側面図である。
【図８】実施形態２に係る有害小動物捕獲装置２を図６の上方からｚ軸に沿って見た平面図である。
【図９】実施形態２に係る有害小動物捕獲装置２を動作させるための電気回路図である。
【図１０】特許文献１に記載されているネズミ捕獲装置９１０を説明するために示す図である。
【図１１】特許文献２に記載されているネズミ捕獲装置９２０を説明するために示す図である。
【図１２】特許文献３に記載されているネズミ捕獲装置９３０を説明するために示す図である。
【考案を実施するための形態】
【００３４】
以下、本考案の実施形態について説明する。
【００３５】
［実施形態１］
図１は、実施形態１に係る有害小動物捕獲装置１の斜視図である。
図２は、図１に示した実施形態１に係る有害小動物捕獲装置１を図１の手前側からｙ軸に沿って見た側面図である。なお、図２においては、一部が断面として示されている。
図３は、実施形態１に係る有害小動物捕獲装置１を図１の上方からｚ軸に沿って見た平面図である。
図４は、実施形態１に係る有害小動物捕獲装置１を動作させるための電気回路図である。
【００３６】
実施形態１に係る有害小動物捕獲装置１の基本的な構成は、図１〜図４に示すように、表面１１０ａが餌置き場となる平板状の床板部１１０と、当該床板部１１０から立設されている立設板部１２０と、電源（電池とする。）Ｅからの電力供給を受けて動作し、捕獲対象となる有害小動物を床板部１１０の表面１１０ａ上で検知すると検知信号を出力するセンサー部２００（詳細は後述する。）と、バネ４００の付勢力によって回転動作して有害小動物を床板部１１０との間で押さえ付ける押さえ付け部材３００と、立設板部１２０に設けられ、押さえ付け部材３００をバネ４００の付勢力に抗して係止することにより、当該押さえ付け部材３００を捕獲待機状態に保持可能な保持可能な係止アーム５００と、センサー部２００から出力される検知信号に基づいて係止アーム５００の押さえ付け部材３００に対する係止を解除させるように動作する係止解除動作部（以下、ソレノイドと表記する場合もある。）６００と、を備える。
【００３７】
なお、押さえ付け部材３００は、外周縁部を形成する枠部３１０の一辺３１１が回転軸となるように軸受け部３３１に軸支され、有害小動物を捕獲する動作を行う前の状態（図１に示す状態であって、これを捕獲待機状態とする。）においては、バネ４００の付勢力に抗して係止アーム５００によって係止された状態となっている。また、係止アーム５００は、捕獲待機状態においては、押さえ付け部材３００の枠部３１０のうち、回転軸となる枠部の一辺３１１とは反対側に位置する所定部分Ｐ１（以下、係止部分Ｐ１という。）を係止する。これら押さえ付け部材３００及び係止アーム５００の詳細な構成については後述する。
【００３８】
また、これらの構成要素の他に、センサー部２００から出力される検知信号によって接点を閉じる（オンする）リレー７００（図４参照。）が設けられており、当該リレー７００がオンすると、ソレノイド６００に電源Ｅからの電力供給がなされて、当該ソレノイド６００が動作するようになっている。これらの具体的な動作については後述する。
【００３９】
実施形態１に係る有害小動物捕獲装置１についてさらに説明する。床板部１１０及び立設板部１２０は、その材質は特に限定されるものではないが、加工のし易さと、ネズミ（この場合は、特にクマネズミ）が生活する環境（例えば、家屋及び物置などの天井裏や床面など）と大きく異ならないこととを考慮して、木製であることが特に好ましい。床板部１１０を木製とした場合、その表面１１０ａは木のままでもよいが、周囲の環境に合わせるように加工してもよい。例えば、周囲が何らかの敷物で敷き詰められているような場合、当該敷物と同じような材質のもの床板部１１０の表面１１０ａに貼ってもよい。なお、実施形態１に係る有害小動物装置１においては、立設板部１２０は、床板部１１０に対して垂直に立設されているものとする。
【００４０】
ここで、立設板１２０は、当該立設板部１２０の一方の面及び他方の面のうち、床板部１１０において餌置き場（例えば、図１において破線枠Ｃで囲まれる範囲）の側に向く面を当該立設板部１２０の表面１２０ａとし、当該表面１２０ａの反対側の面を裏面１２０ｂとして説明する。立設板部１２０の所定の高さの位置には、開口窓部１２１が形成され、当該開口窓部１２１には、係止アーム５００が、立設板部１２０の裏面１２０ｂ側から開口窓部１２１を通して表面１２０ａ側に突出するように設けられている。
【００４１】
また、立設板部１２０には、電源Ｅ、ソレノイド６００、メインスイッチＳＷ０（図４参照。）、押さえ付け部材３００が捕獲待機状態となっているときにオン（閉）となり、センサー部２００に電源Ｅからの電力供給を可能とする捕獲待機スイッチＳＷ１（図１及び図４参照。）、捕獲待機状態となっている押さえ付け部材３００の係止が解除されたときにオン（閉）となり、報知部としての報知ランプＬ（図４参照。）に電源Ｅからの電力を供給可能とする報知動作スイッチＳＷ２（図１及び図４参照。）などの電気回路部品が設けられている。
【００４２】
メインスイッチＳＷ０は、電源スイッチとしての機能を有し、立設板部１２０の裏面１２０ｂに設けられている（図示は省略する。）。当該メインスイッチＳＷ０は、当該有害小動物捕獲装置１を使用する際に使用者が操作するものである。また、捕獲待機スイッチＳＷ１及び報知動作スイッチＳＷ２は、それぞれのスイッチをオン・オフさせるための切り替え動作部ａ１，ａ２（図１参照。）が立設板部１２０の表面１２０ａ側に突出しており、押さえ付け部材３００によってオン又はオフに設定されるものである。具体的には、捕獲待機スイッチＳＷ１の切り替え動作部ａ１及び報知動作スイッチＳＷ２の切り替え動作部ａ２は、それぞれ立設板部１２０の表面１２０ａにおいて、捕獲待機状態となっている押さえ付け部材３００の枠部３１０に当接する箇所に設けられている（図１参照。）。
【００４３】
そして、捕獲待機スイッチＳＷ１は、押さえ付け部材３００の枠部３１０が切り替え動作部ａ１に当接しているとき（押さえ付け部材３００が係止アーム５００により係止されているとき）にはオンの状態を保持し、係止アーム５００による押さえ付け部材３００の係止が解除されたときにオフに切り換わるスイッチである。一方、報知動作スイッチＳＷ２は、押さえ付け部材３００の枠部３１０が切り替え動作部ａ２に当接しているとき（押さえ付け部材３００が係止アーム５００により係止されているとき）にはオフの状態を保持し、係止アーム５００による押さえ付け部材３００の係止が解除されたときにオンに切り換わるスイッチである。
【００４４】
また、メインスイッチＳＷ０は、上記したように、電源スイッチとして機能するため、当該メインスイッチＳＷ０がオフの状態となっているときには、捕獲待機スイッチＳＷ１がオン又は報知動作スイッチＳＷ２がオンしても、実施形態１に係る有害小動物捕獲装置１は何ら動作をしない状態が維持される。
【００４５】
続いて、センサー部２００及び押さえ付け部材３００について説明する。
センサー部２００は、実施形態１に係る有害小動物捕獲装置１においては、発光素子（赤外線ＬＥＤとする。）２１０と、当該発光素子２１０が発した光を受光する受光素子２２０とを有し、発光素子２１０が発した光が有害小動物によって遮られると、検知信号を出力する光遮断検知型のセンサーである。
【００４６】
また、発光素子２１０には、当該発光素子２１０が発する光を絞り込んで出力するための小孔２１１ａを有する発光部側の光絞り部２１１が設けられており(図２における破線枠Ａの拡大図参照。)、受光素子２２０には、当該受光素子２２０に入力する光を絞り込んで当該受光素子２２０に入力させるための小孔２２１ａを有する受光部側の光絞り部２２１が設けられている(図２における破線枠Ｂの拡大図参照。)。
【００４７】
このように、発光素子２１０に光絞り部２１１が設けられていることにより、発光素子２１０から発する光は拡散せずに線状の光線とすることができ、また、受光素子２２０にも光絞り部２２１が設けられていることにより、発光素子２１０が発する光を高精度に受光することができる。これにより、発光素子２１０が発する光をネズミが遮った場合、光が遮られたことを高精度に検知できる。
【００４８】
ところで、発光素子２１０は、発光素子側基板２３０（図４参照。）に取り付けられており、当該発光素子側基板２３０は、床板部１１０の表面１１０ａにおける端部（立設板部１２０とは反対側の端部）側に設けられている。発光素子側基板２３０は、カバー２５０によって覆われている。当該カバー２５０は、例えば、図示のような網状カバーとしてもよい。一方、受光素子２２０は、受光素子側基板２４０（図４参照。）に取り付けられており、当該受光素子側基板２４０とともに立設板部１２０の裏面１２０ｂに設けられている。
【００４９】
なお、発光素子２１０が発する光の光軸Ｏｘの高さ（床板部１１０の表面１１０ａからのｚ軸に沿った高さ）は、発光素子２１０が発する光を有害小動物が確実に遮ることができるような高さとなるように、発光素子２１０及び受光素子２２０の高さが設定されている。また、立設板部１２０には、発光素子２１０から発する光が立設板部１２０の裏面１２０ａ側に通過可能な光通過孔１２２（図１参照。）が設けられており、発光素子２１０が発した光は、当該光通過孔１２２を通って受光素子２２０に入射する。
【００５０】
押さえ付け部材３００は、回転軸となる枠部３１０の一辺３１１が、床板部１１０と立設板部１２０との接合部に沿って配置されており、当該押さえ付け部材３００が捕獲待機状態となっているときにおいてはバネ４００の付勢力に抗して係止部分Ｐ１が係止アーム５００によって係止された状態にあり（図１参照。）、当該係止アーム５００による係止が解除されると、バネ４００の付勢力によって枠部３１０の一辺３１１を回転軸として、ほぼ９０度の回転角度で、床板部１１０の表面１１０ａ側に勢いよく回転する。このとき、押さえ付け部材３００は、床板部１１０の表面を叩き付けるように一気に回転する。なお、図２及び図３において、二点鎖線で示されている押さえ付け部材３００は、回転動作した後の押さえ付け部材３００の状態を示すものである。
【００５１】
また、押さえ付け部材３００は、線状の金属部材によって形成されており、図１に示すように、外周縁部を形成する枠部３１０と、当該枠部３１０の内側に存在し、粗い網目状（格子状）に形成された格子部３２０と、からなる。具体的には、枠部３１０は、線状の鉄（ステンレス鋼を含む）などの金属部材がほぼ四角形に折り曲げられて形成され、当該枠部３１０が押さえ付け部材３００の外周縁部を形成する。
【００５２】
一方、格子部３２０は、枠部３１０と同様に、線状の鉄（ステンレス鋼を含む）などの金属部材からなり、枠部３１０内において複数本の金属部材が粗い網目上（格子状）に配置されてなる。このとき、格子部３２０を形成する線状の金属部材の縦方向及び横方向のそれぞれの間隔ｄ１，ｄ２（図１参照。）は、捕獲対象となる有害小動物のうち小型の有害小動物（例えば、ハツカネズミ）の体長よりも狭くなるように設定することが好ましい。格子部３２０を形成する線状の金属部材の縦方向及び横方向のそれぞれの間隔ｄ１，ｄ２がこのように設定されていることにより、当該押さえ付け部材３００によって、ネズミを押さえ付けたときに、当該ネズミが格子部３２０から逃げてしまうといったことを防止できる。
【００５３】
このように構成されている押さえ付け部材３００を平面視したときの外形の形状（枠部３１０で囲まれる平面形状）は、基本的には、ほぼ四角形をなすが、実施形態１に係る有害小動物捕獲装置１においては、床板部１１０に発光素子２１０及び発光素子側基板２３０を覆うカバー２５０が存在するため、当該カバー２５０に接触しないように、当該カバー２５０の部分が凹部となっている。また、押さえ付け部材３００を平面視したときの外形の面積（枠部３１０で囲まれる範囲の面積）は、ほぼ１００ｃｍ２〜６００ｃｍ２であることが好ましい。押さえ付け部材３００をこのようなサイズとしたのは、次に示すような理由によるものである。
【００５４】
すなわち、ネズミは動作が素早いため、ネズミが例えば図１においてｙ軸に沿って侵入して、センサー部２００の検出範囲（例えば、発光素子２１０の光軸Ｏｘ）に入ったときにおいては、押さえ付け部材３００の係止が解除されてから当該押さえ付け部材３００がネズミを押さえ付けるまでの間に、ネズミは４ｃｍ程度、動いてしまうことが観察によりわかった。このときのネズミの動きが、例えば、後ずさりする動きであるとすると、押さえ付け部材３００は、ｙ軸に沿った方向（ネズミの進行方向）において、光軸Ｏｘを中心にして少なくともそれぞれ４ｃｍ（光軸Ｏｘを挟んで合計８ｃｍ）は必要であり、さらに、ネズミの鼻先を押さえ付けるには、ｙ軸に沿った方向（ネズミの進行方向）において、光軸Ｏｘを中心にして少なくともそれぞれ５ｃｍ（光軸Ｏｘを挟んで合計１０ｃｍ）は必要である。このことは、ｘ軸方向においてもほぼ同様のことが言えるため、押さえ付け部材３００は、少なくとも１０ｃｍ×１０ｃｍ＝１００ｃｍ２程度の面積は必要である。
【００５５】
一方、捕獲効率をより高くするには、より面積を大きくすることが好ましいが、押さえ付け部材３００の押さえ行け動作（回転動作）の高速性の維持及び実用性などを考慮すると、むやみに大きくはできない。ここで、力が強く大型のクマネズミを捕獲対象として考えると、クマネズミの体長を２０ｃｍとした場合、当該クマネズミを逃さないためには、クマネズミの体長の１／３（ほぼ７ｃｍ）を押さえ付けることが必要である。この７ｃｍに上記したネズミが動いてしまう距離（ほぼ４ｃｍ）を考慮すると、ｙ軸に沿った方向（ネズミの進行方向）において、光軸Ｏｘを中心にして少なくともそれぞれ１１ｃｍ（光軸Ｏｘを挟んで合計２２ｃｍ程度）を確保することが好ましく、多少余裕を見て、２５ｃｍ〜３０ｃｍ程度を確保することが好ましい。このことは、ｘ軸方向においてもほぼ同様のことが言えるが、ｘ軸方向の長さは回転速度の高速性の維持などを考慮して、２０ｃｍ程度とすることが好ましい。この場合、押さえ付け部材３００は、３０ｃｍ×２０ｃｍ＝６００ｃｍ２程度の面積となる。
【００５６】
以上のことから、押さえ付け部材３００を平面視したときの外形の面積（枠部３１０で囲まれる範囲の面積）は、ほぼ１００ｃｍ２〜６００ｃｍ２であることが好ましく、クマネズミを対象とした場合には、６００ｃｍ２であることが好ましい。仮に、押さえ付け部材３００を平面視したときの外形の面積（凹部となっている部分を含めた面積）をほぼ６００ｃｍ２とした場合には、図１〜図３において、ｘ軸に沿った方向を横方向、ｙ軸に沿った方向を縦方向とした場合、例えば、横方向の長さを２０ｃｍ程度、縦方向の長さを３０ｃｍ程度とすることが好ましい。
【００５７】
ところで、押さえ付け部材３００は、上記したように、係止アーム５００による係止が解除されると、バネ４００の付勢力によって床板部１１０を叩き付けるように一気に回転するため、バネ４００は付勢力が強力なものであることが好ましい。実施形態１に係る有害小動物装置１においては、押さえ付け部材３００をバネ４００の付勢力に抗して指で持ち上げようとしたときに当該指に加わる力（静的バネ力と呼ぶことにする。）は、約１．５Ｋｇであった。一方、捕獲待機状態にある押さえ付け部材３００の係止を解除して、当該押さえ付け部材３００を、床板部１１０を叩き付けるように一気に回転させたときに床板部１１０に加わる力（動的バネ力と呼ぶことにする。）は、約１５Ｋｇであった。
【００５８】
このように、捕獲待機状態にある押さえ付け部材３００の係止が解除されて、当該押さえ付け部材３００が床板部１１０を叩き付けるように一気に回転したときにおいては、強い動的バネ力によってネズミを押さえ付けることがきるため、押さえ付け部材３００が、例えば、力の強いとされるクマネズミを押さえ付けたとすると、押さえ付けられたクマネズミは、たとえ力が強くても逃げることができず、ほぼ確実に捕獲できることが実験により確かめられた。また、押さえ付け部材３００は、線状の金属部材で形成されているため、ネズミを押さえ付けたときに当該ネズミに与える衝撃は大きく、ネズミに大きなダメージを与えることができる。
【００５９】
ところで、実施形態１に係る有害小動物捕獲装置１においては、有害小動物（この場合、クマネズミ）をおびき寄せるための餌は、固形の餌ではなく、粉状又は粒状の餌（特に限定されるものではないが、例えば、粉状又は粒状のチーズや粉状又は粒状の穀類など）を用いるものとし、これらの餌を床板部１１０の表面１１０ａにおける餌置き場（例えば、図１における破線枠Ｃで囲まれる範囲）に撒いておく。このため、実施形態１に係る有害小動物捕獲装置１においては、餌（固形の餌）を取り付ける餌取り付け部材は存在しない。なお、餌置き場（例えば、図１における破線枠Ｃで囲まれる範囲）は、図１においては円形状としたが、これは、餌を撒く範囲を大まかに示すものであり、円形状に限られるものではなく、適度に広がりを有した範囲である。
【００６０】
このように、餌を粉状又は粒状のものとし、当該粉状又は粒状の餌を床板部１１０の表面１１０ａに撒いておくと、警戒心の強いクマネズミも警戒心を抱かずに当該粉状又は粒状の餌を食べにくることが考案者の実験により確かめられている。また、押さえ付け部材３００が捕獲待機状態（図１に示す状態）にあるときにおいては、床板部１１０の表面１１０ａの餌置き場（例えば、図１における破線枠Ｃで囲まれる範囲）には、粉状又は粒状の餌以外のものは存在せず、また、床板部１１０が木製であることにより、ネズミ（この場合は、特にクマネズミ）が生活する環境と大きく異ならないようにすることができる。
【００６１】
続いて、係止アーム５００及びソレノイド６００について説明する。
係止アーム５００は、立設板部１２０に形成されている開口窓部１２１を通して立設板部１２０の裏面１２０ｂ側から表面１２０ａ側にほぼ水平方向に突出するように設けられている。そして、係止アーム５００の先端部５１１が押さえ付け部材３００の係止部分Ｐ１を係止可能とするように鉤状となっており、中途部に設けられている軸５１２が係止アーム取り付け用のフレーム５３０に回転自在に軸支されている。なお、以下では、先端部５１１を「先端鉤部５１１」という。
【００６２】
また、係止アーム５００の先端鉤部５１１側の所定位置と立設板部１２０との間には、コイルバネ５４０が設けられており、当該コイルバネ５４０の収縮力によって、係止アーム５００には、先端鉤部５１１を下方向に回転させようとする力が常時与えられている。
【００６３】
このように構成されている係止アーム５００は、先端鉤部５１１を押さえ付け部材３００の枠部３１０の係止部分Ｐ１に引っ掛けることにより、押さえ付け部材３００をバネ４００の付勢力に抗して捕獲待機状態に保持することができる。
【００６４】
ソレノイド６００は、電源Ｅからの電力が供給されると、電磁力によって鉄心６１０（図２参照。）をｚ軸に沿った下方向に押し出して、係止アーム５００の係止を解除させるように動作する。具体的には、ソレノイド６００は、鉄心６１０が係止アーム５００の後端部５１３（先端鉤部５１１と反対側の端部）を押圧可能に配置されている。そして、センサー部２００からの検知信号が非出力状態（リレー７００がオフの状態）においては、鉄心６１０は係止アーム５００の後端部５１３に対して非押圧状態にあり、センサー部２００からの検知信号が出力されたとき（リレー７００がオフからオンとなったとき）においては、鉄心６１０を下方向に押し出して、係止アーム５００の後端部５１３を押圧するように動作する。
【００６５】
鉄心６１０が係止アーム５００の後端部５１３を押圧するように動作すると、係止アーム５００は、コイルバネ５４０の収縮力に抗して先端鉤部５１１が上方に移動するように回転し、押さえ付け部材３００に対する係止を解除する。これにより、押さえ付け部材３００は、バネ４００の付勢力を受けて床板部を叩き付けるように一気に回転する。
【００６６】
続いて、実施形態１に係る有害小動物捕獲装置１の電気回路について図４を参照して説明する。発光素子２１０は、発光素子側基板２３０に設けられており、受光素子２２０は、受光素子側基板２４０に設けられている。発光素子側基板２３０には、電源Ｅからの電力を入力する正（＋）側及び負（−）側入力端子２３１と、発光素子２１０を点灯制御するための制御回路２３２とを有している。一方、受光素子側基板２４０には、電源Ｅからの電力を入力する正（＋）側及び負（−）側入力端子２４１と、リレー７００と、受光素子２２０を動作させるための制御を行うとともに、受光素子２２０からの信号（発光素子２１０が発する光が遮られたときに出力する信号）に基づいてリレー７００の制御を行う制御回路２４２とが設けられている。
【００６７】
ここで、発光素子２１０からの光を受光素子２２０で検知している状態においては、リレー７００の接点は、ノーマルクローズ（ＮＣ）側すなわちオフとなっている。リレー７００の接点がオフとなっているときは、ソレノイド６００の鉄心６１０は、図示実線で示す位置となっており、当該位置においては、鉄心６１０は係止アーム５００の後端部５１３に接触しているだけで押圧していない状態（非押圧状態）となっている。この状態において、発光素子２１０からの光が遮られると、リレー７００の接点はノーマルオープン（ＮＯ）側に切り換わってオンとなる。リレー７００の接点がオンとなると、ソレノイド６００には電源Ｅからの電力が供給されて、鉄心６１０を押し出すように動作する。これによって、鉄心６１０が係止アーム５００の後端部５１３を押圧し、それによって、係止アーム５００の後端部５１３が図４の破線で示すように押し下げられて、先端鉤部５１１が上方に移動するように回転し、押さえ付け部材３００に対する係止を解除する。
【００６８】
また、電源Ｅからの電力を発光素子側基板２３０、受光素子側基板２４０及びソレノイド６００に供給する回路中には、メインスイッチＳＷ０と捕獲待機スイッチＳＷ１とが直列に設けられている。このため、発光素子側基板２３０、受光素子側基板２４０及びソレノイド６００は、メインスイッチＳＷ０と捕獲待機スイッチＳＷ１とが共にオンしている間だけ動作が可能となる。なお、捕獲待機スイッチＳＷ１は、前述したように、押さえ付け部材３００が係止アーム５００に係止されている状態（捕獲待機状態）のときにオンするスイッチである。
【００６９】
また、実施形態１に係る有害小動物装置１の電気回路には、押さえ付け部材３００の係止が解除されたことを当該有害小動物捕獲装置１の設置個所から離隔した位置に報知可能な報知部（報知ランプＬとする。）が設けられている。そして、この報知ランプＬと電源Ｅとの間には、メインスイッチＳＷ０と報知動作スイッチＳＷ２とが直列に設けられている。このため、報知ランプＬは、メインスイッチＳＷ０がオンの状態となっているときに、報知動作スイッチＳＷ２がオンすると点灯する。
【００７０】
なお、報知動作スイッチＳＷ２は、前述したように、押さえ付け部材３００が係止アーム５００に係止されている状態（捕獲待機状態）ではオフとなっており、捕獲待機状態にある押さえ付け部材３００の係止が解除されたときにオンするスイッチである。報知ランプＬの種類は特に限定されるものではなく、例えば、電池によって点灯可能なＬＥＤ又はフィラメント式の豆電球などを用いることができる。
【００７１】
次に、実施形態１に係る有害小動物捕獲装置１の使用例について説明する。
実施形態１に係る有害小動物捕獲装置１を捕獲対象となるネズミ（この場合、クマネズミ）の出現しそうな場所に設置する。このとき、インスイッチＳＷ０をオフした状態で、押さえ付け部材３００をバネ４００の付勢力に抗して立設板部１２０側に回転させて、係止アーム５００の先端鉤部５１１で係止して、捕獲待機状態とする。当該捕獲待機状態においては、捕獲待機スイッチＳＷ１がオン状態となるとともに、報知動作スイッチＳＷ２がオフ状態となる。図４における捕獲待機スイッチＳＷ１及び報知動作スイッチＳＷ２の状態は、押さえ付け部材３００を係止アーム５００の先端鉤部５１１で係止させた状態(捕獲待機状態)を示している。
【００７２】
この状態で、餌（粉状又は粒状の餌）を床板部１１０の餌置き場（例えば、図１において破線枠Ｃで囲まれる範囲）に撒いておく。なお、「床板部１１０の餌置き場」というのは、床板部１１０の表面１１０ａにおいて特に限定された範囲ではなく、床板部１１０の表面において発光素子２１０から発せられる光の光軸Ｏｘに沿った箇所を中心に適度に広がりを有した範囲とすることが好ましい。そして、メインスイッチＳＷ０をオンすることにより、実施形態１に係る有害小動物捕獲装置１の設置操作が完了する。
【００７３】
その後、クマネズミが出現して床板部１１０に撒かれている餌を食べようとして、発光素子２１０から発せられている光を遮ると、受光素子２２０からの出力（検知信号）によってリレー７００がオンする。リレー７００がオンすると、ソレノイド６００が動作し、鉄心６１０が係止アーム５００の後端部５１３を押圧動作する。これにより、捕獲待機状態にある押さえ付け部材３００の係止が解除され、押さえ付け部材３００がバネ４００の付勢力により勢いよく回転し、クマネズミを強い衝撃力で床板部１１０との間で押さえ付けて当該クマネズミを捕獲する。
【００７４】
このとき、押さえ付け部材３００は、垂直に立設されている立設板部１２０の表面１２０ａに沿った位置を起点に回転するため、ほぼ９０度の回転によってクマネズミを捕獲するといった動作を行う。このため、押さえ付け部材３００が例えば１８０度回転するタイプの小動物捕獲装置に比べて、押さえ付け部材３００の動作時間を短くすることができ、クマネズミに逃げる間を与えることなく、クマネズミを高い確率で捕獲することができる。
【００７５】
なお、押さえ付け部材３００の係止が解除されると、オン状態となっていた捕獲待機スイッチＳＷ１がオフ状態となり、オフ状態となっていた報知動作スイッチＳＷ２がオン状態となる。捕獲待機スイッチＳＷ１がオフ状態となると、メインスイッチＳＷ０がオン状態のままであっても、発光素子側基板２３０及び受光素子側基板２４０への電力供給は遮断される。
【００７６】
一方、報知動作スイッチＳＷ２がオン状態となると、報知部（報知ランプＬ）に電力供給がなされて、報知動作（報知ランプＬの点灯動作）が行われる。なお、報知部としての報知ランプＬは、有害小動物捕獲装置１の設置位置から離隔した場所（例えば、人間が通常時において生活する場所）に設置しておくことが好ましく、当該報知ランプＬが点灯していることにより、捕獲動作が行われたことを知ることができる。
【００７７】
報知ランプＬの点灯を確認した場合には、有害小動物捕獲装置１を設置している場所に行き、もし、ネズミが捕獲されていた場合には、当該ネズミを何らかの方法で処理する。このとき、メインスイッチＳＷ０をオフすれば、報知ランプＬも消灯する。
【００７８】
ところで、押さえ付け部材３００の係止が解除された場合、捕獲待機スイッチＳＷ１がオフとなるが、当該捕獲待機スイッチＳＷ１がオフとなることにより、電力消費が比較的大きい発光素子側基板２３０及び受光素子側基板２４０への電力供給は遮断されるため、仮に、メインスイッチＳＷ０がオンのままで、押さえ付け部材３００の係止が解除された状態をそのまま放置したままとしても、発光素子側基板２３０及び受光素子側基板２４０での電力消費はなされない。
【００７９】
これにより、電力消費を抑えることができ、電源（電池）Ｅの消耗を極力少なくすることができる。但し、押さえ付け部材３００の係止が解除された場合において、メインスイッチＳＷ０がオンしたままであると、報知動作（報知ランプＬの点灯動作）は続行している。報知ランプＬとしてＬＥＤなどの消費電力の小さい素子を使用すれば、消費電力を最小限に抑えることができるが、速やかにメインスイッチＳＷ０をオフとすることが好ましい。
【００８０】
図５は、実施形態１に係る有害小動物捕獲装置１によりネズミが捕獲された状態を示す図である。餌Ｆを食べに来たネズミＭは、図５に示すように、押さえ付け部材３００によって押さえ付けられた状態で捕獲される。このように、押さえ付け部材３００がネズミＭを押さえ付ける際には、当該押さえ付け部材３００は、バネ４００の付勢力によって床板部１１０を叩き付けるように一気に回転するが、このとき、床板部１１０の表面１１０ａに加わる動的バネ力は、前述したように、約１５Ｋｇであり、このような強い動的バネ力によってネズミＭを押さえ付けることがきる。
【００８１】
このため、例えば、ネズミＭが力の強いとされるクマネズミであったとしても、押さえ付けられたクマネズミは、逃げることができず、確実に捕獲できる。また、押さえ付け部材３００は、線状の金属部材で形成されているため、ネズミＭを押さえ付けたときにネズミに与える衝撃は大きく、ネズミＭに大きなダメージを与えることができる。
【００８２】
以上説明したように、実施形態１に係る有害小動物捕獲装置１は、固形の餌を餌取り付け部に取り付けて取り付けるものではなく、床板部１１０の表面１１０ａに粉状又は粒状の餌をばら撒くようにしており、また、ネズミの通り道となる床板部１１０の表面１１０ａには、餌取り付け部材などが横たわって存在しているものではないため、ネズミに警戒心を与えることなく餌を食べに来させることができ、高い捕獲効果が期待できる。また、実施形態１に係る有害小動物捕獲装置１は、人工的な家型や箱型の筐体内にネズミを呼び込もうとするものでないため、これによっても、ネズミに警戒心を与えることなく、餌を食べに来させることができ、特に警戒心の強いとされるクマネズミに対しても高い捕獲効果が期待できる。
【００８３】
[実施形態２]
図６は、実施形態２に係る有害小動物捕獲装置２を説明するために示す図である。
図７は、図１に示した実施形態１に係る有害小動物捕獲装置１を図６の手前側からｙ軸に沿って見た側面図である。なお、図７においては、一部が断面として示されている。
図８は、実施形態２に係る有害小動物捕獲装置２を図６の上方からｚ軸に沿って見た平面図である。
図９は、実施形態２に係る有害小動物捕獲装置２を動作させるための電気回路図である。
【００８４】
実施形態２に係る有害小動物捕獲装置２が実施形態１に係る有害小動物捕獲装置１と異なる主な点は、センサー部２００にある。すなわち、実施形態２に係る有害小動物捕獲装置２おいては、センサー部２００は、有害小動物が発する赤外線を感知すると検知信号を出力する赤外線感知センサー２７０を用いている。なお、実施形態２に係る有害小動物捕獲装置２において、実施形態１に係る有害小動物捕獲装置１と同じ構成要素には、実施形態１に係る有害小動物捕獲装置１と同じ符号を用い、重複する説明は極力省略する。
【００８５】
赤外線感知センサー２７０は、図７に示すように、立設板部１２０の裏面１２０ｂに設置されている。また、赤外線感知センサー２７０における赤外線入射部には、局所的な特定方向からの赤外線を感知可能とするための赤外線導入パイプ２８０（図７参照。）が設けられている。このような赤外線導入パイプ２８０が設けられていることにより、押さえ付け部材３００によって確実に捕獲可能な位置にネズミが達したときに、当該ネズミが発する赤外線を感知することができ、ネズミを高い確率で捕獲することができる。なお、赤外線導入パイプ２８０は、円筒形状をなし、実施形態２に係る有害小動物捕獲装置２においては、長さを約３０ｍｍ、内径を約４ｍｍとしている。ただし、赤外線導入パイプ２８０の長さ及び内径は限定されるものではなく、適宜、最適な長さ及び内径とすることができる。また、形状も円筒形状に限られるものではなく、筒状であればよい。
【００８６】
また、床板部１１０には、図７及び図８に示すように、立設板部１２０が存在する側とは反対側の端部側、すなわち、立設板部１２０とは餌置き場（例えば、図６において破線枠Ｃで囲まれる範囲）を挟んで反対側の端部側に、当該立設板部１２０に対面する赤外線遮断用の壁板部１５０が設けられている。このような壁板部１５０を設けることによって、例えば、餌置き場（例えば、図６において破線枠Ｃで囲まれる範囲）を通らずに、床板部１１０端部（立設板部１２０が存在する側とは反対側の端部）よりも外側を通過した場合などにおいても、当該ネズミが発する赤外線を感知して押さえ付け部材３００を動作させてしまうといった誤動作を未然に防止できる。なお、図７及び図８において示されている一点鎖線Ｄは赤外線感知範囲を示しており、当該赤外線感知範囲は、壁板部１５０の表面部においては、ほぼ３ｃｍ程度の径ｄ３を有するものとなっている。
いる。で示す
【００８７】
センサー部２００としての赤外線感知センサー２７０は、図９に示すように、赤外線感知センサー基板２９０に設置されている。なお、図９に示す電気回路が、図４において示されている実施形態１に係る有害小動物捕獲装置１の電気回路と異なる点は、発光素子側基板２３０及び受光素子側基板２４０の代わりに赤外線感知センサー基板２９０が設けられている点であり、その他は、図４に示す電気回路と同じである。
【００８８】
赤外線感知センサー基板２９０には、電源Ｅからの電力を入力する正（＋）側及び負（−）側入力端子２９１と、リレー７００と、赤外線感知センサー２７０が赤外線を感知したときにリレー７００を制御する制御回路２９２とが設けられている。
【００８９】
このような構成において、赤外線感知センサー２７０が赤外線を感知すると、赤外線感知センサー２７０からの出力によってリレー７００がオンする。リレー７００がオンすると、ソレノイド６００が動作し、鉄心６１０が係止アーム５００の後端部５１３を押圧動作する。これにより、押さえ付け部材３００の係止が解除され、押さえ付け部材３００がバネ４００の付勢力により勢いよく回転し、図５に示したように、ネズミを強い衝撃力で押さえ付けてネズミを捕獲する。
【００９０】
なお、実施形態２に係る有害小動物捕獲装置２においても、図９に示すように、捕獲待機スイッチＳＷ１及び報知動作スイッチＳＷ２が設けられており、これら各スイッチＳＷ１，ＳＷ２は実施形態１に係る有害小動物捕獲装置１と同様の機能を有するとともに同様に動作する。
【００９１】
以上説明した実施形態２に係る有害小動物捕獲装置２においても、実施形態１に係る有害小動物捕獲装置１と同様の効果が得られる。また、実施形態２に係る有害小動物捕獲装置２においては、センサー部２００として赤外線感知センサー２７０を用いている。このため、当該赤外線感知センサー２７０を立設板部１２０側に設けることにより、床板部１１０の表面１１０ａ上には、発光素子２１０などを設ける必要がなくなり、床板部１１０の表面１１０ａをより簡素化できる。また、床板部１１０の表面１１０ａ上には、発光素子などを設ける必要がなくなることから、押さえ付け部材３００の形状も単純な形状（例えば単純な四角形）とすることができ、床板部１１０の表面１１０ａの広い範囲を押さえ付け部材による押さえ付け可能領域とすることができる。
【００９２】
また、赤外線感知センサー２７０は、実施形態１に係る有害小動物捕獲装置１において使用した発光素子２１０及び受光素子２２０とからなる光遮断検知型のセンサーよりも、小さい電力で動作可能である。このため、同じ電池を使用する場合、電池の数をより少なくすることができる。ちなみに、電源としては１．５ボルトの乾電池を使用する場合、実施形態１に係る有害小動物捕獲装置１においては、１．５ボルトの乾電池を８本（１２ボルト）使用したが、実施形態２に係る有害小動物捕獲装置２においては、１．５ボルトの乾電池を４本（６ボルト）で使用することで動作可能であった。
【００９３】
なお、本考案は上述の実施形態に限られるものではなく、本考案の要旨を逸脱しない範囲で種々変形実施可能となるものである。たとえば、下記に示すような変形実施も可能である。
【００９４】
（１）上記各実施形態においては、センサー部２００として光遮断型検知のセンサー（実施形態１）及び赤外線感知センサー（実施形態２）を用いた場合を説明したが、これらのセンサー以外にも、例えば、超音波センサー、重量検知センサー及びタッチセンサーなども使用可能である。
【００９５】
センサー部２００として超音波センサーを使用する場合には、超音波を発信する超音発信部と当該超音波を受信する超音波受信部とを有し、超音波発信部から発信した超音波を有害小動物が遮断すると検知信号を出力するようにして、当該検知信号により、リレーをオンさせてソレノイドによって押さえ付け部材を動作させるように構成すればよい。また、重量検知センサーを使用する場合には、重量を検知するセンサーを床板部１１０に設置して、有害小動物が床板部１１０に載ることによる重量変化を検知したときに検知信号を出力するようにして、当該検知信号により、リレーをオンさせてソレノイドによって押さえ付け部材を動作させるように構成すればよい。また、タッチセンサーを使用する場合には、当該タッチセンサーを床板部１１０に設置して、ネズミが床板部に存在するタッチセンサーに触れたときに、検知信号を出力するようにして、当該検知信号により、リレーをオンさせてソレノイドによって押さえ付け部材を動作させるように構成すればよい。
【００９６】
（２）上記各実施形態においては、押さえ付け部材３００は捕獲待機状態からほぼ９０度の回転角度で動作する構成としたが、必ずしも９０度に限定されるものではなく、９０度を超える回転角度としてもよく、また、十分な捕獲能力が得られれば９０度未満の回転角度としてもよい。
【００９７】
（３）上記各実施形態においては、報知部として報知ランプを使用した場合を例示したが、報知ランプにかぎられるものではなく、例えば電子音などの報知音を発する報知音発信器であってもよく、また、報知ランプと報知音発信器とを組み合わせて用いるようにしてもよい。
【００９８】
（４）上記各実施形態においては、押さえ付け部材は、線状の金属部材として直線の金属部材により形成するようにした場合を例示したが、直線ではなく、例えば、餅焼き網のように細かく波打っている金属部材によって形成してもよい。
【００９９】
（５）上記各実施形態においては、係止アームの係止を解除させるように動作する係止解除動作部はソレノイドを使用した場合を例示したが、ソレノイドに限られるものではなく、電力の供給を受けて係止アームの後端部を押圧できるように動作するものであればよい。
【０１００】
（６）上記各実施形態においては、捕獲対象となる有害小動物は、ネズミとして主にクマネズミを例にとって説明したが、クマネズミ以外のネズミにも適用で可能であり、また、ネズミ以外の有害小動物にも適用できることは勿論である。
【０１０１】
（７）上記各実施形態においては、立設板部１２０を設けた場合を例示したが、立設板部１２０を設けない構成としてもよい。この場合、係止アーム５００による押さえ付け部材３００の係止の仕方は種々例示できるが、例えば、アームの長さを長くした係止アームを用いて、当該アームの長さの長い係止アームを床板部１１０上において回転自在に軸支して、当該係止アームの先端鉤部で押さえ付け部材３００の係止部分Ｐ１を係止できるような構成を例示できる。なお、立設板部１２０を設けない場合には押さえ付け部材３００の回転角度を９０度以上とすることもできる。
【符号の説明】
【０１０２】
１、２・・・有害小動物捕獲装置、１１０・・・床板部、１１０ａ・・・床板部１１０の表面、１２０・・・立設板部、１２０ａ・・・立設板部１２０の表面、１２０ｂ・・・立設板部１２０の裏面、１５０・・・赤外線遮断用の壁板部、２００・・・センサー部、２１０・・・発光素子、２１１・・・発光素子側の光絞り部、２１１ａ・・・小孔、２２０・・・受光素子、２２１・・・受光素子側の光絞り部、２２１ａ・・・小孔、２７０・・・赤外線感知センサー、２８０・・・赤外線導入パイプ、３００・・・押さえ付け部材、３１０・・・枠部、３１１・・・回転軸となる枠部一辺、３２０・・・格子部、４００・・・バネ、５００・・・係止アーム、６００・・係止解除動作部（ソレノイド）、７００・・・継電器（リレー）、Ｃ・・・餌置き場、Ｄ・・・赤外線感知範囲、Ｅ・・・電源、Ｐ１・・・回転軸となる枠部の一辺とは反対側に位置する所定部分（係止部分）、ＳＷ０・・・メインスイッチ、ＳＷ１・・・捕獲待機スイッチ、ＳＷ２・・・報知動作スイッチ
【図１】
0003211503.tif 000003
【図２】
0003211503.tif 000004
【図３】
0003211503.tif 000005
【図４】
0003211503.tif 000006
【図５】
0003211503.tif 000007
【図６】
0003211503.tif 000008
【図７】
0003211503.tif 000009
【図８】
0003211503.tif 000010
【図９】
0003211503.tif 000011
【図１０】
0003211503.tif 000012
【図１１】
0003211503.tif 000013
【図１２】
0003211503.tif 000014
【手続補正書】
【提出日】平成29年5月17日(2017.5.17)
【手続補正１】
【補正対象書類名】実用新案登録請求の範囲
【補正対象項目名】全文
【補正方法】変更
【補正の内容】
【実用新案登録請求の範囲】
【請求項１】
捕獲対象となる有害小動物を捕獲する有害小動物捕獲装置であって、
表面が餌置き場となる床板部と、
電源からの電力供給を受けて動作し、捕獲対象となる有害小動物を前記床板部の表面上で検知すると検知信号を出力するセンサー部と、
外周縁部を形成する枠部のうち当該枠部の一辺が回転軸となるように軸受け部に軸支され、捕獲待機状態からバネの付勢力によって回転動作して前記有害小動物を前記床板部との間で押さえ付ける押さえ付け部材と、
前記枠部のうち前記回転軸となる枠部の一辺とは反対側に位置する所定部分を前記バネの付勢力に抗して係止することにより、前記押さえ付け部材を前記捕獲待機状態に保持可能な係止アームと、
前記検知信号に基づいて前記係止アームの前記押さえ付け部材に対する係止を解除させるように動作する係止解除動作部と、
を備えることを特徴とする有害小動物捕獲装置。
【請求項２】
請求項１に記載の有害小動物捕獲装置において、
前記床板部から立設されている立設板部をさらに有し、前記係止アームは、当該立設板部の側に設けられているとともに、前記押さえ付け部材は、前記回転軸となる枠部の一辺が、当該床板部と当該立設板部との接合部に沿って配置されていることを特徴とする有害小動物捕獲装置。
【請求項３】
請求項１又は２に記載の有害小動物捕獲装置において、
前記センサー部は、発光素子と当該発光素子が発した光を受光する受光素子とを有し、前記発光素子が発する光が遮られると前記検知信号を出力する光遮断検知型のセンサーであることを特徴とする有害小動物捕獲装置。
【請求項４】
請求項３に記載の有害小動物捕獲装置において、
前記発光素子には、当該発光素子が発する光を絞り込んで出力するための小孔を有する発光部側の光絞り部が設けられており、
前記受光素子には、当該受光素子に入力する光を絞り込んで当該受光素子に入力させるための小孔を有する受光部側の光絞り部が設けられていることを特徴とする有害小動物捕獲装置。
【請求項５】
請求項３又は４に記載の有害小動物捕獲装置において、
前記発光素子は、赤外線発光素子であることを特徴とする有害小動物捕獲装置。
【請求項６】
請求項１又は２に記載の有害小動物捕獲装置において、
前記センサー部は、前記有害小動物が発する赤外線を感知すると、前記検知信号を出力する赤外線感知センサーであることを特徴とする有害小動物捕獲装置。
【請求項７】
請求項６に記載の有害小動物捕獲装置において、
前記赤外線感知センサーにおける赤外線入射側には、局所的な特定方向からの赤外線を感知可能とするための赤外線導入パイプが設けられていることを特徴とする有害小動物捕獲装置。
【請求項８】
請求項６又は７に記載の有害小動物捕獲装置において、
前記床板部の端部側には、当該床板部の端部よりも外側から発せられる赤外線を遮断するための赤外線遮断用の壁板部が立設されていることを特徴とする有害小動物捕獲装置。
【請求項９】
請求項１又は２に記載の有害小動物捕獲装置において、
前記センサー部は、超音波発信部と当該超音波発信部が発信した超音波を受信する超音波受信部とを有し、前記超音波発信部が発する超音波が遮られると前記検知信号を出力する超音波遮断検知型のセンサーであることを特徴とする有害小動物捕獲装置。
【請求項１０】
請求項１又は２に記載の有害小動物捕獲装置において、
前記センサー部は、重量の変化を検知すると前記検知信号を出力する重量検知センサーであることを特徴とする有害小動物捕獲装置。
【請求項１１】
請求項１又は２に記載の有害小動物捕獲装置において、
前記センサー部は、触れると前記検知信号を出力するタッチセンサーであることを特徴とする有害小動物捕獲装置。
【請求項１２】
請求項１〜１１のいずれかに記載の有害小動物捕獲装置において、
前記押さえ付け部材が前記捕獲待機状態となっているときにオン状態となり、前記センサー部に前記電源からの電力供給を可能とする捕獲待機スイッチをさらに有することを特徴とする有害小動物捕獲装置。
【請求項１３】
請求項１〜１２のいずれかに記載の有害小動物捕獲装置において、
前記押さえ付け部材は、線状の金属部材によって形成され、
前記外周縁部となる枠部と、
当該枠部の内側に存在し、網目状に形成された格子部と、
を有し、前記格子部を形成する前記線状の金属部材の縦方向及び横方向のそれぞれの間隔は前記有害小動物の体長よりも短く設定されていることを特徴とする有害小動物捕獲装置。
【請求項１４】
請求項１〜１３のいずれかに記載の有害小動物捕獲装置において、
前記捕獲待機状態となっている前記押さえ付け部材の係止が解除されると、当該押さえ付け部材の係止が解除されたことを当該有害小動物捕獲装置の設置個所から離隔した位置に報知可能な報知部をさらに備えることを特徴とする有害小動物捕獲装置。
【請求項１５】
請求項１４に記載の有害小動物捕獲装置において、
前記報知部は、報知光を発する報知光発光部又は報知音を発する報知音発生部の少なくとも一方であることを特徴とする有害小動物捕獲装置。
【請求項１６】
請求項１〜１５のいずれかに記載の有害小動物捕獲装置において、
前記捕獲対象となる有害小動物は、ネズミであることを特徴とする有害小動物捕獲装置。
【請求項１７】
請求項１６に記載の有害小動物捕獲装置において、
前記ネズミは、クマネズミであることを特徴とする有害小動物捕獲装置。